(57)【要約】      （修正有）【課題】従来よりもシンプルな構造で、傾斜地への設置に適したクロスゲートを提供する。【解決手段】ゲート本体を支柱１８に連結するための連結具２０を備える。この連結具は、支柱側に取り付けられる支柱側プレート２５と、ゲート本体側に取り付けられるゲート側プレート２８と、Ｘ字状に回動自在に連結された第１アーム部材３０および第２アーム部材３１と、を備える。第１アーム部材３０は、一端部３０ａが前記支柱側プレートによって回動可能に支持されるとともに、他端部３０ｂが前記ゲート側プレートによって上下に摺動可能かつ回動可能に支持されている。また、第２アーム部材は、一端部３１ａが前記ゲート側プレートによって回動可能に支持されるとともに、他端部３１ｂが前記支柱側プレートによって上下に摺動可能かつ回動可能に支持されている。【選択図】図３
0003222367.tif 000002
【実用新案登録請求の範囲】
【請求項１】
ゲート本体を支柱に連結するための連結具であって、
支柱側に取り付けられる支柱側プレートと、
ゲート本体側に取り付けられるゲート側プレートと、
Ｘ字状に回動自在に連結された一対のアーム部材と、
を備え、
前記一対のアーム部材のうちの一方は、一端部が前記支柱側プレートによって回動可能に支持されるとともに、他端部が前記ゲート側プレートによって上下に摺動可能かつ回動可能に支持されており、
前記一対のアーム部材のうちの他方は、一端部が前記ゲート側プレートによって回動可能に支持されるとともに、他端部が前記支柱側プレートによって上下に摺動可能かつ回動可能に支持されていることを特徴とする、連結具。
【請求項２】
前記支柱側プレートおよび前記ゲート側プレートには、前記アーム部材を上下に摺動可能にガイドするための長孔が形成されており、
前記アーム部材の他端部には、前記長孔を貫通する軸部材が取り付けられていることを特徴とする、請求項１記載の連結具。
【請求項３】
請求項１または２記載の連結具によってゲート本体と支柱とを連結したクロスゲートであって、
前記ゲート本体と前記支柱とは、上下の二か所で前記連結具によって連結されていることを特徴とする、クロスゲート。
【考案の詳細な説明】
【技術分野】
【０００１】
この考案は、住宅や車庫、建設現場や資材置場の出入口等に設置される伸縮可能なクロスゲートに関するものであり、特に傾斜地への設置に適したクロスゲート及びクロスゲートの連結具に関する。
【背景技術】
【０００２】
クロスゲートは、複数の縦桟の間に交差するように複数のクロスバーを設け、このクロスバーを伸縮させることで縦桟の間隔を変更してゲートを開閉できるようにしている。
【０００３】
こうしたクロスゲートは、垂直な支柱に吊り元側を固定し、支柱に対して直交する方向（水平方向）に伸縮することを想定して設計されている。このため、傾斜した地面にクロスゲートを配置すると、クロスバーやクロスバー同士の枢支部に無理な力が加わり、枢支部が壊れたり、クロスバーが変形したりするおそれがある。
【０００４】
こうした問題を回避するため、本出願人は、例えば特許文献１に開示された発明を提案した。この発明においては、支柱とゲート本体とを連結する連結具において、支柱側の部材とゲート本体側の部材とがロックボルトを介して連結され、回動可能かつ摺動可能に形成されている。このため、この回動動作と摺動動作とで傾斜地の勾配差を吸収しつつ、ゲートの開閉をスムーズに行えるようになっている。
【先行技術文献】
【特許文献】
【０００５】
【特許文献１】特許第５３３７７３４号公報
【考案の概要】
【考案が解決しようとする課題】
【０００６】
しかし、上記した特許文献１記載の構成は、構造が複雑であった。
そこで、本考案は、従来よりもシンプルな構造で、傾斜地への設置に適したクロスゲートを提供することを課題とする。
【課題を解決するための手段】
【０００７】
本考案は、上記した課題を解決するためになされたものであり、ゲート本体を支柱に連結するための連結具であって、支柱側に取り付けられる支柱側プレートと、ゲート本体側に取り付けられるゲート側プレートと、Ｘ字状に回動自在に連結された一対のアーム部材と、を備え、前記一対のアーム部材のうちの一方は、一端部が前記支柱側プレートによって回動可能に支持されるとともに、他端部が前記ゲート側プレートによって上下に摺動可能かつ回動可能に支持されており、前記一対のアーム部材のうちの他方は、一端部が前記ゲート側プレートによって回動可能に支持されるとともに、他端部が前記支柱側プレートによって上下に摺動可能かつ回動可能に支持されていることを特徴とする。
【考案の効果】
【０００８】
本考案は上記の通りであり、Ｘ字状に回動自在に連結された一対のアーム部材が、それぞれ一端部が回動可能に支持されるとともに、他端部が上下に摺動可能かつ回動可能に支持されている。このため、この回動動作と摺動動作とによって連結具が傾き自在で伸縮可能となっており、連結具が傾きつつ伸縮することで傾斜地の勾配差を吸収しつつ、クロスゲートの開閉をスムーズに行えるようになっている。
しかも、このような連結具を、プレートなどのシンプルな部材で構成することができるので、製造も容易であり、低コストで製作することができる。
【図面の簡単な説明】
【０００９】
【図１】クロスゲートの外観図である。
【図２】傾斜地への設置したクロスゲートを示す図である。
【図３】連結具付近の一部拡大図であって、（ａ）連結具が伸長した状態の図、（ｂ）連結具が収縮した状態の図である。
【図４】連結具が伸長した状態の部品を説明する図であって、（ａ）平面図、（ｂ）正面図である。
【図５】連結具が収縮した状態の部品を説明する正面図である。
【考案を実施するための形態】
【００１０】
本考案の実施形態について、図を参照しつつ説明する。
本実施形態に係るクロスゲート１０は、図１に示すように、敷地の出入り口などに開閉可能に設置される。このクロスゲート１０は、地面に垂直に立設された支柱１８と、伸縮可能なゲート本体１１と、ゲート本体１１を支柱１８に連結するための連結具２０と、を備えている。
【００１１】
ゲート本体１１は、図１に示すように、支柱１８を起点として開閉自在に配置されるものであり、伸長時には出入り口を閉じ、収縮時には出入り口を開くように構成されている。
【００１２】
このゲート本体１１は、複数の縦桟１３の間に複数のクロスバー１２を交差させたものであり、クロスバー１２の角度と縦桟１３間の距離を変えることにより伸縮できるように構成されている。縦桟１３の下端部には、キャスター１４が取り付けられており、このキャスター１４の車輪が地面を走行することのより、縦桟１３間の距離が変化するように構成されている。
【００１３】
このゲート本体１１の吊り元側の縦桟１３には、支柱１８に臨む面に柱状の受け材１５が固定されている。この受け材１５は、後述する連結具２０を取り付けるためのものであり、連結具２０の連結ピン２９を挿入して固定できる挿入穴（図示せず）を備えている。
【００１４】
連結具２０は、ゲート本体１１と支柱１８とを連結するためのものであり、上部及び下部の二か所においてゲート本体１１と支柱１８とを連結している。連結具２０は、図２および図３に示すように、水平方向に伸縮可能、かつ、左右のプレートの傾きを変更可能となっている。この連結具２０は、伸縮しつつ傾きが変化することにより、支柱１８とゲート本体１１とが相対的に傾いた状態であっても、その傾きを吸収して両者を連結することができる。
【００１５】
この連結具２０は、図３に示すように、支柱保持具２１と、支柱側プレート２５と、保持筒２６と、ゲート側プレート２８と、連結ピン２９と、第１アーム部材３０と、第２アーム部材３１と、回動ピン３２と、接続手段４０と、を備えている。
【００１６】
支柱保持具２１は、支柱１８を保持して連結具２０を取り付けるためのものである。この支柱保持具２１は、図３に示すように、クランプ２２と、固定ピン２３と、を備えている。クランプ２２は、ネジを締め付けることで支柱１８を抱え込むようにして保持できるように構成されている。また、固定ピン２３は、クランプ２２に溶接などで固定されている。この固定ピン２３は、クランプ２２が支柱１８を保持したときに、支柱１８に対して平行となるようにクランプ２２に固定されている。
【００１７】
支柱側プレート２５は、支柱保持具２１を介して支柱１８側に取り付けられる金属製のプレートである。また、保持筒２６は、この支柱側プレート２５に溶接などで固定された円筒状の部材である。この保持筒２６に固定ピン２３を挿入することで、支柱側プレート２５を支柱保持具２１に係合させて取り付けることができる。この支柱側プレート２５には、後述する第１アーム部材３０を回動可能に取り付けるための軸穴（図示せず）と、後述する第２アーム部材３１を上下に摺動可能にガイドするための長孔２５ａが形成されている。長孔２５ａは、支柱１８の軸方向と平行に直線的に形成されており、後述するボルト４１の軸部が貫通できる幅で形成されている。軸穴は、長孔２５ａの長手方向の延長線上において、長孔２５ａよりも上方に形成されている。
【００１８】
ゲート側プレート２８は、受け材１５を介してゲート本体１１側に取り付けられる金属製のプレートである。また、連結ピン２９は、このゲート側プレート２８に溶接などで固定された棒状の部材である。この連結ピン２９を受け材１５の挿入穴に挿入することで、ゲート側プレート２８を受け材１５に係合させて取り付けることができる。このゲート側プレート２８には、後述する第２アーム部材３１を回動可能に取り付けるための軸穴（図示せず）と、後述する第１アーム部材３０を上下に摺動可能にガイドするための長孔２８ａが形成されている。長孔２８ａは、受け材１５（縦桟１３）の軸方向と平行に直線的に形成されており、後述するボルト４１の軸部が貫通できる幅で形成されている。軸穴は、長孔２８ａの長手方向の延長線上において、長孔２８ａよりも上方に形成されている。
【００１９】
第１アーム部材３０および第２アーム部材３１は、図４に示すように、回動ピン３２によってＸ字状に回動自在に連結された一対のアーム部材である。これらの第１アーム部材３０および第２アーム部材３１は、金属製の棒状部材またはプレートである。第１アーム部材３０と第２アーム部材３１とは、互いに同じ形状としてもよい。これらの第１アーム部材３０および第２アーム部材３１の両端部には、後述するボルト４１を挿通可能な取付穴が貫通形成されており、この取付穴の中間位置には、回動ピン３２を挿通可能な回動軸穴が貫通形成されている。
【００２０】
これらの第１アーム部材３０の両端および第２アーム部材３１の両端は、それぞれ接続手段４０によって、支柱側プレート２５またはゲート側プレート２８に回動可能に取り付けられる。本実施形態に係る接続手段４０は、図４（ａ）に示すように、ボルト４１と、ナット４２と、ワッシャ４３と、を備えている。ボルト４１は、支柱側プレート２５またはゲート側プレート２８と、第１アーム部材３０または第２アーム部材３１と、を連続して貫通することにより、両者を回動可能に支持するものである。ナット４２は、ボルト４１の抜け止めとして機能するとともに、ボルト４１とナット４２を締結することで、支柱側プレート２５またはゲート側プレート２８と、第１アーム部材３０または第２アーム部材３１と、を所定の位置で固定することも可能となっている。ワッシャ４３は、ボルト４１が貫通する各部材（ボルト４１の頭部、支柱側プレート２５またはゲート側プレート２８、第１アーム部材３０または第２アーム部材３１、ナット４２）が接触しないように、各部材の間に配置されるリング状の部材である。
【００２１】
第１アーム部材３０は、図３に示すように、一端部３０ａが支柱側プレート２５によって回動可能に支持されている。具体的には、第１アーム部材３０の取付穴と支柱側プレート２５の軸穴とを貫通するボルト４１によって、両者が回動可能に連結されている。
【００２２】
また、この第１アーム部材３０は、他端部３０ｂがゲート側プレート２８によって上下に摺動可能かつ回動可能に支持されている。具体的には、第１アーム部材３０の取付穴とゲート側プレート２８の長孔２８ａとを貫通するボルト４１によって、両者が回動可能に連結されている。また、ボルト４１が長孔２８ａに沿って上下に移動することで、両者が摺動可能となっている。
【００２３】
第２アーム部材３１は、一端部３１ａがゲート側プレート２８よって回動可能に支持されている。具体的には、第２アーム部材３１の取付穴とゲート側プレート２８の軸穴とを貫通するボルト４１によって、両者が回動可能に連結されている。
【００２４】
また、この第２アーム部材３１は、他端部３１ｂが支柱側プレート２５によって上下に摺動可能かつ回動可能に支持されている。具体的には、第２アーム部材３１の取付穴と支柱側プレート２５の長孔２５ａとを貫通するボルト４１によって、両者が回動可能に連結されている。また、ボルト４１が長孔２５ａに沿って上下に移動することで、両者が摺動可能となっている。
【００２５】
このように、本実施形態に係る構成によれば、Ｘ字状に回動自在に連結された一対のアーム部材３０，３１が、それぞれ一端部３０ａ，３１ａが回動可能に支持されるとともに、他端部３０ｂ，３１ｂが上下に摺動可能かつ回動可能に支持されている。このため、この回動動作と摺動動作とによって連結具２０が傾き自在で伸縮可能となっている。
【００２６】
すなわち、図４に示すように、支柱側プレート２５とゲート側プレート２８との間隔を大きくすることもできるし、図５に示すように、支柱側プレート２５とゲート側プレート２８との間隔を小さくすることもできる。また、複数のボルト４１を軸として支柱側プレート２５やゲート側プレート２８が回動することにより、支柱側プレート２５とゲート側プレート２８との角度も任意に調整することができる。
【００２７】
よって、図２に示すように、傾斜した地面にクロスゲート１０を配置した場合でも、連結具２０が伸縮したり、支柱側プレート２５とゲート側プレート２８との角度を変更したりすることで、傾斜地の勾配差を吸収することができる。よって、クロスバー１２やクロスバー１２同士の枢支部に無理な力が加わることもないので、クロスゲート１０の破損を防止することができ、また、クロスゲート１０の開閉をスムーズに行うことができる。
しかも、このような連結具２０を、プレートなどのシンプルな部材で構成することができるので、製造も容易であり、低コストで製作することができる。
【符号の説明】
【００２８】
１０  クロスゲート
１１  ゲート本体
１２  クロスバー
１３  縦桟
１４  キャスター
１５  受け材
１８  支柱
２０  連結具
２１  支柱保持具
２２  クランプ
２３  固定ピン
２５  支柱側プレート
２５ａ  長孔
２６  保持筒
２８  ゲート側プレート
２８ａ  長孔
２９  連結ピン
３０  第１アーム部材
３０ａ  一端部
３０ｂ  他端部
３１  第２アーム部材
３１ａ  一端部
３１ｂ  他端部
３２  回動ピン
４０  接続手段
４１  ボルト（軸部材）
４２  ナット
４３  ワッシャ
【図１】
0003222367.tif 000003
【図２】
0003222367.tif 000004
【図３】
0003222367.tif 000005
【図４】
0003222367.tif 000006
【図５】
0003222367.tif 000007